(57)【要約】      （修正有）【課題】光反射板を具備するバックライト装置のシート状材料の折り曲げ角度を安定に維持する加工手段を提供する。【解決手段】平坦なシート状材料に間歇的に切り込みを付与し、前記切り込みに沿って折り曲げた立体的形状をなしている光反射板の前記切り込み間であって、且つ折り曲げ線９の近傍の位置に、折り曲げ線に平行に補助切り込み１２ｂを付与し、更に光反射に寄与しない光反射板の裏面にテープを貼着することにより、シート状材料が有する潜在応力による復元力を緩和する。【選択図】図７
2006030423.tif 000002
【特許請求の範囲】
【請求項１】
平坦なシート状材料に間歇的に配置した切り込み線を付与し、前記切り込み線に沿って折り曲げた立体的形状を有する構造物において、切り込み線間であって、且つ、折り曲げ線の近傍の位置に、折り曲げ線に平行な別の補助切り込み線を並設したことを特徴とする構造物。
【請求項２】
請求項１に記載の構造物において、外形が円、または長円形状の穿孔を前記の補助切り込み線に置換したことを特徴とする構造物。
【請求項３】
低発泡樹脂などのシート状材料に間歇的に配置した切り込み線に沿って折り曲げ、立体的形状を有する光反射板において、切り込み線間であって、且つ、折り曲げ線の近傍の位置に、折り曲げ線に平行な別の補助切り込み線を並設したことを特徴とする光反射板。
【請求項４】
請求項３に記載の光反射板において、外形が円、または長円形状の穿孔を前記の補助切り込み線に置換したことを特徴とする光反射板。
【請求項５】
請求項３、または請求項４のいずれかに記載の光反射板において、光反射に寄与しない光反射板の裏面にテープを貼着したことを特徴とする光反射板。
【請求項６】
光透過型液晶表示パネルや電飾看板の光源としてのバックライト装置において、低発泡樹脂などのシート状材料に間歇的に配置した切り込み線に沿って立体的に折り曲げた光反射板を有し、該光反射板の切り込み線間であって、且つ、折り曲げ線の近傍の位置に、折り曲げ線に平行な別の補助切り込み線を並設した光反射板であることを特徴とするバックライト装置。
【請求項７】
請求項６に記載のバックライト装置において、前記の光反射板の補助切り込み線を、外形が円、または長円形状の穿孔に置換したことを特徴とするバックライト装置。
【請求項８】
請求項６または７のいずれかに記載のバックライト装置において、前記の光反射板の光反射に寄与しない光反射板の裏面にはテープが貼着され、ランプクリップ、およびまたは両面粘着テープにてランプハウスに取付けられたことを特徴とするバックライト装置。
【請求項９】
光透過型液晶表示パネルを表示素子とする薄型表示装置において、請求項６乃至８に記載のバックライト装置を光源としたことを特徴とする薄型表示装置。
【発明の詳細な説明】
【技術分野】
【０００１】
本発明は、光透過型液晶表示パネルや電飾看板などに搭載されるバックライト装置において、照度の面均一性を維持し、且つ、広い面積を効率よく照射するために使用される立体的な形状を有する光反射板の形成技術に関するものである。
【背景技術】
【０００２】
光透過型液晶表示パネルや電飾看板などのバックライト装置では、照度の面均一性を維持し、且つ、広い面積を効率よく照射するため、多数の発光管を平行に配置するとともに、照射対象物の反対側に光反射板を配置する手段が広く適用されている。シート状材料に切れ目や折り曲げ形成加工をすることにより光反射板の断面形状を放物面とし、放物面の底部付近に存在する焦点位置に光源を配置し、放物面の開口部から放射される光源からの直射光とともに放物面により反射され、放物面の開口部から放射される反射光をも効率よく利用している。
【０００３】
光反射板に関する従来技術の一例として、図１１とともに説明する。図１１（ａ）は従来技術の光反射板２０の平面図、  図１１（ｂ）は、図１１（ａ）中に鎖線で示す切断線Ｄ−Ｄに沿って切断した光反射板２０の縦断面図である。光反射板２０は図示しないバックライトハウスに収容され、上方に複数の線状光源が配置され、さらに線状光源の前方に光拡散板が配置されてバックライトを構成し、液晶表示パネルのバックライトとして液晶表示パネル背面に配置される。図１１中に示す２１は低発泡樹脂などの光反射シート材料に間歇的に切り込みを付与し、山折り部分の内角をα度に折り曲げた山折り線であり、図１１中に示す２２は低発泡樹脂などのシート状材料に間歇的に切り込みを付与し、谷折り部分の内角をβ度に折り曲げた谷折り線である。シート状材料を、前記の山折り線２１、および谷折り線２２に沿って折り曲げ、断面形状が概ね放物線状になるよう立体的に形成することにより、効率の良い光反射板２０を実現している。
【０００４】
また、金型などの高価な初期投資を要せず、前記の機能を実現する立体的な形状の光反射板を形成する手段として、特開２００２−１８２５７９や、特開２００４−１３８７１５で、低発泡樹脂シートに切れ目や折り曲げ加工をする考案がなされている。
【特許文献１】特開２００２−１８２５７９  「直下型照明装置」
【特許文献２】特開２００４−１３８７１５  「光反射板およびその製造方法」
【発明の開示】
【発明が解決しようとする課題】
【０００５】
このように、照度の面均一性を維持し、且つ、広い面積を効率よく照射するために、多数の発光管を平行に配置するとともに、照射対象物である光透過型液晶パネルや電飾看板の背面側に光反射板を具備するバックライト装置において、金型などの高価な初期投資を要せず、低発泡樹脂などのシート状材料に切れ目や折り曲げ形成加工をすることにより立体的な形状の反射板を実現することが可能である。
【０００６】
しかしながら、従来技術の一例としての前記の光反射板においては、図１１に示す山折り線２１、および谷折り線２２に沿って折り曲げが付与された光反射板２０は、時間の経過とともにシート状材料が有する内部潜在応力により、折り曲げ部分が平坦形状に復元するため、図１１（ｂ）に示す前記の各部の折り曲げ角度α、およびβはともに折り曲げ付与直後よりも、その後の時間経過にともない、角度が変化し大きくなる。このため、バックライトハウスへの組み付け作業性の低下を招くという課題がある。また、経時変化による折り曲げ加工部分の復元を予測し、折り曲げ加工時に設計目標値を超えた折り曲げを付与することは、シート状材料が有する限界応力を超え、折り曲げ部が破断することがある。本発明はこのような課題を解決するために、シート状材料の折り曲げ角度を安定に維持する加工手段を提供する。
【課題を解決するための手段】
【０００７】
本発明の実施例である光透過型液晶表示パネルを表示素子とする薄型表示装置や電飾看板などのバックライト装置内に内蔵される光反射板においては、平坦なシート状材料に間歇的に切り込みを付与し、前記の切り込みに沿って折り曲げた立体的形状をなしている。前記の光反射板の前記切り込み間であって、且つ、折り曲げ線の近傍の位置に、折り曲げ線に平行な別の切り込みを付与し、シート状材料が有する潜在応力による復元力を緩和する。切り込みの形状は直線状のみに限定せず、外形が円、または長円形状の穿孔に置換、または配列しても直線状の切り込みと同様に、シート状材料が有する内部潜在応力による復元力を緩和することができる。
【０００８】
平坦なシート状材料に間歇的に切り込みを付与し、該切り込みに沿って折り曲げた立体的形状をなす前記の光反射板において、折り曲げ後の時間経過に伴い、シート状材料が有する内部潜在応力により、形状が復元する復元力に抗し、折り曲げ部分の形状を安定させる目的で、光反射に寄与しない光反射板の裏面にテープを貼着する。
【発明の効果】
【０００９】
本発明によれば、平坦なシート状材料に間歇的に配置した切り込み線を付与し、前記切り込み線に沿って折り曲げた立体的形状を有する構造物において、切り込み線間であって、且つ、折り曲げ線の近傍の位置に、折り曲げ線に平行な別の補助切り込み線を並設したことで、シート状材料の内部潜在応力に起因する折り曲げ部分の復元力を緩和し、折り曲げにより形成された構造物の折り曲げ角度を安定に維持することが可能となる。
【００１０】
また、本発明の構造物を低発泡樹脂からなる光反射板に適用しバックライト装置に適用する場合は、光反射板の折り曲げ部分の復元力が緩和されることで形状維持力が増すことで、光反射板をバックライトハウス内に収容し、ランプクリップや両面粘着テープにてバックライトハウス内に固定する場合の作業性が改善される。さらに、このように構成したバックライト装置を薄型表示装置に搭載することで、隣接発光管間に立体的な反射構造を有し、その間隔がほぼ一定に保たれた光反射板を有することで、均一な輝度を確保するとともに発光管の本数を抑えることによる省電力化と軽量化が図られ、さらに薄型表示装置の生産性の向上が可能となる。
【発明を実施するための最良の形態】
【００１１】
本発明の実施形態を薄型表示装置としての実施例である液晶テレビに適用した場合に関し、図に基づき以下に説明する。図１、および図２は液晶テレビの外観図を示し、図３は液晶テレビの表示部分の内部構成概要を示す分解斜視図である。図１、および図２において、６は画像表示を行う光透過型液晶表示パネル、１０１は前キャビネット、１０２は後ろキャビネット、１０３は操作ボタン、１０４はスタンドを示す。
【００１２】
次に、図３（ａ）に基づき、液晶表示部の内部構成を説明する。光透過型液晶表示パネル６の背面には拡散板５が配置されている。バックライトハウス７の光透過型液晶表示パネル６側には低発泡樹脂シートからなる光反射板２a〜eが図示しないランプクリップで固定され、光反射板２a〜eの前面には、複数本の発光管１が配置されている。図３（ｂ）は発光管１、光反射板２a〜e、バックライトハウス７を一体に組み立てたバックライトユニット７ａ、光拡散板５、および光透過型液晶表示パネル６を示す。
【００１３】
図4は図３（ｂ）中に鎖線Ｃ-Ｃで示す切断線に沿って切断した縦断面図の一部を示している。発光管１の管軸の周囲に放射された光束のうち、図４中に実線の矢印で示す前方への光は直射光３として、拡散板５、および光透過型液晶パネル６に向かう。一方、図４中に破線の矢印で示す側方、および後方への光は、バックライトハウス７に取り付けられた光反射板２a〜eにより反射され、平行近似の光束となり、光拡散板５、および光透過型液晶パネル６に向かう。このようにして、発光管１から管軸の周囲に放射状に放射される光のうち、拡散板５、および光透過型液晶パネル６方向に向かわず、側方、および後方に向かう光束をも光反射板２a〜eにより有効に利用することができる。
【００１４】
図５は、本発明による光反射板２aの第１の実施形態を示す。図５（ａ）中に破線で示すテープ１０を光反射板２aの裏面に貼着している。テープ１０の張力により、従来技術として説明した図１１（ｂ）中に示す山折り線２１の内角αが、平坦形状に復元することを防止し、形状の安定化に寄与することができる。
【００１５】
しかしながら、光反射板２aの裏面に貼着したテープ１０は、シート状材料の内部潜在応力により平坦形状に復元することに起因する従来技術として説明した図１１（ｂ）中にβとして示す谷折り線２２の内角の折り曲げ角度の経時変化を防止することはできない。谷折り線２２の内角の折り曲げ角度βは変化し大きくなり、図５（ｂ）に示すごとく光反射板２aは全体的に湾曲し、変形する。時間の経過により光反射板２aの谷折り線９の折り曲げ角度が変化する原因は、図６中に斜線で示す光反射板２aの谷折り線９上の隣接する切り込み間の領域に、シート状材料の内部潜在応力により平坦形状に復元する復元力が作用する復元領域１１が存在するためである。
【００１６】
図７は、本発明の第２の実施形態を示す光反射板２ｂの平面図である。低発泡樹脂などのシート状材料の谷折り線９上に間歇的に付与した切り込み間の部分には、折り曲げ後もシート状材料の内部潜在応力により、図６中に破線で示すごとく、平坦形状に復元する復元力が作用する復元領域１１が存在する。したがって、復元領域１１の復元力を緩和させる手段として、図７に示すごとく、谷折り線９の近傍の片側であって、且つ、図６に示す復元領域１１内に補助切り込み１２ｂを付与する。
【００１７】
復元領域１１の復元力を緩和させる手段としては図７に示す手段のみに限らず、第３の実施形態として図８に示すごとく、谷折り線９の近傍の両側であって、且つ、図６に示す復元領域１１内に２本１組の補助切り込み１２ｃを跨設する。また、第４の実施形態として図９に示すごとく谷折り線９の近傍の両側に交互に補助切り込み１２ｄを付与する。さらに、第５の実施形態として図１０に示すごとく切り込みは直線でなく外形が円、または長円などの穿孔１２ｅ、１２ｆを配列することも可能である。
【００１８】
このように、平坦なシート状材料に間歇的に切り込み線を付与し、前記の切り込み線に沿って山折りと谷折りとの組み合わせにより折り曲げた立体的形状を有する構造物において、平坦形状に復元する復元力が作用する復元領域が存在する場合に、折り曲げ線の近傍で折り曲げ線に略平行に補助切り込み線を設けることで、平坦形状に復元する復元力を緩和することが可能となる。本発明の構造物を低発泡樹脂からなる光反射板２a〜eに適用する場合は、光反射板２a〜eの谷折り線９上の隣接する切り込み間の領域に、谷折り線９の近傍で、且つ谷折り線９に略平行に補助切り込み１２ｂ〜fを設けることで、復元力が緩和され、光反射板２a〜eをバックライトハウス７内に収容し、ランプクリップや両面粘着テープにてバックライトハウス７内に固定する場合の作業性が改善される。
【００１９】
また、光反射板２a〜eにおいて光反射に寄与しない光反射板２a〜eの裏面にテープを貼着することで、山折れ形状が維持されるため、さらにランプクリップや両面テープにてバックライトハウス７内に固定する場合の作業性が改善されることになる。さらにこのように構成したバックライト装置を薄型表示装置に搭載することで、発光管１の本数を抑えて輝度を確保することによる省電力化と軽量化を図るとともに、薄型表示装置の生産性の向上が可能となる。なお、本発明の実施の形態として、補助切り込み１２ｂ〜ｆで説明したが、補助切り込みに関しては、記載の形状や長さに限定されるものではなく、また、各切り込み態様の組み合わせや、補助切り込みの長さを折り曲げ線上の切り込みの長さと不等とするなど、折り曲げ線の近傍の復元領域にその復元力を緩和するために設けられる補助切り込み全てに適用されるものである。
【産業上の利用可能性】
【００２０】
本発明は、照度の面均一性を維持し、且つ、広い面積を効率よく照射するバックライト装置を実現する手段としての立体的な形状を有する光反射板の形成技術に関するもので、光透過型液晶表示パネル、電飾看板、照明器具など、多数の発光管を平行に配置するバックライト装置に適用することが可能である。
【図面の簡単な説明】
【００２１】
【図１】本発明の実施例として、薄型表示装置である液晶テレビの外観斜視図である。
【図２】図１に示す液晶テレビの図（ａ）は上面図、図（b）は正面図、図（ｃ）は立面図、図（ｄ）は背面図である。
【図３】図（ａ）は本発明の実施例である光透過型液晶表示パネルを表示素子とする表示部分をバックライト部分とともに内部構成概要図として示した分解斜視図である。図（ｂ）は図（ａ）に示す各構成部分を一体化した斜視図である。
【図４】図３（ｂ）中に鎖線で示す切断線Ｃ−Ｃに沿って切断したバックライトユニット、および光透過型液晶表示パネルの縦断面図である。
【図５】図（ａ）は光反射板２の裏面にテープ１０を貼着し、山折り線８の経時変形を防止するための本発明による第１の実施形態を示す。図（ｂ）は谷折り線９に沿った折り曲げ角度の経時変形により生じる光反射板の湾曲を示す断面図である。
【図６】図（ａ）は光反射板２の谷折り線９上に隣接する切り込み間に存在する復元領域１１を斜線で示す平面図、図（ｂ）は縦断面図である。
【図７】谷折り線９の近傍の片側に補助切り込み１２bを付与する第２の実施形態を示す光反射板２bの平面図である。
【図８】谷折り線９の近傍の両側に２本１組の補助切り込み１２cを跨設した第３の実施形態を示す光反射板２cの平面図である。
【図９】谷折り線９の近傍の両側に交互に補助切り込み１２dを付与した第４の実施形態を示す光反射板２dの平面図である。
【図１０】切り込みを直線に限定せず、外形が円や長円の補助切り込み１２eや１２fの穿孔を配列した第５の実施形態を示す光反射板２eの平面図である。
【図１１】図（ａ）は従来例の光反射板２０の拡大平面図である。図（ｂ）は図（ａ）中に鎖線で示す切断線Ｄ−Ｄに沿って切断した縦断面図である。
【符号の説明】
【００２２】
１：発光管 
２a：光反射板（第１の実施形態）
２b：光反射板（第２の実施形態）
２c：光反射板（第３の実施形態）
２d：光反射板（第４の実施形態）
２e：第５の実施形態の光反射板
３：直射光
４：反射光
５：光拡散板
６：光透過型液晶表示パネル
７：バックライトハウス
７ａ：バックライトユニット
８：山折り線
９：谷折り線
１０：テープ
１１：復元領域
１２b：補助切り込み（第２の実施形態）
１２c：補助切り込み（第３の実施形態）
１２d：補助切り込み（第４の実施形態）
１２e, f：補助切り込み（第５の実施形態）
２０：従来技術の光反射板
２１：山折り線
２２：谷折り線
１０１：前キャビネット
１０２：後ろキャビネット
１０３：操作ボタン
１０４：スタンド
【図１】
2006030423.tif 000003
【図２】
2006030423.tif 000004
【図３】
2006030423.tif 000005
【図４】
2006030423.tif 000006
【図５】
2006030423.tif 000007
【図６】
2006030423.tif 000008
【図７】
2006030423.tif 000009
【図８】
2006030423.tif 000010
【図９】
2006030423.tif 000011
【図１０】
2006030423.tif 000012
【図１１】
2006030423.tif 000013